(57)【要約】【課題】室内の蚊を除去する換気装置において、換気装置本体や周辺への汚染を防ぎ、かつメンテンナスが簡便な換気装置を提供することを目的とする。【解決手段】室内側の吸込口３と、室外側の吐出口４と、吸込口３から吐出口４を通貫する風路５と、風路５内に室内から室外へ向かう気流を発生させるファン７およびモーター６とを備えた本体２と、本体２の前面に設置されたパネル８と、吸込口３を覆うように配置され、その繊維に殺虫成分を含有するネット９と、本体２下部に設置された蚊の回収箱１０を備えている。パネル８前面とファン７とネット９が黒色であり、また回収箱１０は開口部２１を備えており、室内側から室外側にスライドして室外側に突出した際は開口部２１が開口し、回収箱１０に回収した蚊の死骸を室外に排出することができる。これにより、換気装置本体や周辺への汚染を防ぎ、かつメンテンナスが簡便な換気装置を提供することができる。【選択図】図５
2020048486.tif 000002
【特許請求の範囲】
【請求項１】
室内側に設けられる吸込口と、室外側に設けられる吐出口と、前記吸込口から吐出口へ連通する風路と、前記風路内で室内側から室外側へ向かう気流を発生させるファンおよびモーターと、前記吸込口を覆い配置され、その繊維に殺虫成分を含有または担持させたネットとを備え、前記ファンと前記ネットのいずれかを黒色とした換気装置であって、本体下部に設置した蚊の回収箱を備え、前記回収箱は室内外方向にスライドする機構を有するとともに、室外側に突出した際は回収箱の一部が開口する機構を有することを特徴とする換気装置。
【請求項２】
前記ネットよりも上流側から該ネットの中央部を覆う格子を有したルーバーを備え、前記ルーバーの外周部は淡色であり、前記外周部の色は格子の色に対してマンセル表色系で規定される明度が６以上大きいことを特徴とする請求項１に記載の換気装置。
【請求項３】
前記ネットに含まれる殺虫成分がピレスロイド系殺虫成分であることを特徴とする請求項１または２に記載の換気装置。
【発明の詳細な説明】
【技術分野】
【０００１】
本発明は、室内空気を屋外へ排出する換気装置において、室内の蚊を捕集する換気装置に関するものである。
【背景技術】
【０００２】
従来、この種の蚊を誘引し屋外へ捕獲する装置としては、吸込口付近に蚊を誘引するための光源を備えた換気装置が知られている。すなわち、図８に示すように、吸込口１０１内部に誘引部１０２として光源を備え、誘引部に近付いた蚊を、風路内のモーター１０３およびファン１０４を用いて発生させた気流で本体内に吸込み、排出するための換気装置であった（例えば特許文献１参照）。
【先行技術文献】
【特許文献】
【０００３】
【特許文献１】特開平１０−２２７５０３号公報
【発明の概要】
【発明が解決しようとする課題】
【０００４】
このようなファンを搭載した従来の換気装置に蚊を誘引すると、蚊の一部はファンと衝突してしまい通過できず、ファンに死骸が付着することがあった。そのために、頻繁にファンや換気装置内部の掃除を行う必要があった。
【０００５】
そこで本発明は、上記従来の課題を解決するものであり、室内の蚊を除去する換気装置において、ファンや換気装置内部の掃除の煩わしさを低減した換気装置を提供することを目的としている。
【課題を解決するための手段】
【０００６】
そして、この目的を達成するために、本発明に係る換気装置は、室内側に設けられる吸込口と、室外側に設けられる吐出口と、前記吸込口から吐出口へ連通する風路と、前記風路内で室内側から室外側へ向かう気流を発生させるファンおよびモーターと、前記吸込口を覆い配置され、その繊維に殺虫成分を含有または担持させたネットとを備え、
前記ファンと前記ネットのいずれかを黒色とした換気装置であって、
本体下部に設置した蚊の回収箱を備え、前記回収箱は室内外方向にスライドする機構を有するとともに、室外側に突出した際は回収箱の一部が開口する機構を有することを特徴とする換気装置であり、これにより所期の目標を達成するものである。
【発明の効果】
【０００７】
本発明によれば、室内側に設けられる吸込口と、室外側に設けられる吐出口と、前記吸込口から吐出口へ連通する風路と、前記風路内で室内側から室外側へ向かう気流を発生させるファンおよびモーターと、前記吸込口を覆い配置され、その繊維に殺虫成分を含有または担持させたネットとを備え、前記ファンと前記ネットのいずれかを黒色とした換気装置であって、本体下部に設置した蚊の回収箱を備え、前記回収箱は室内外方向にスライドする機構を有するとともに、室外側に突出した際は回収箱の一部が開口する機構を有することにより、光源による誘引作用では十分に誘引することのできない蚊を誘引・捕集するとともに、回収箱に死骸を回収することで、蚊がファンに衝突することで生じる死骸による汚染を防止することができる。さらに回収箱のスライド機構によって、回収箱を室外に突出させ、蚊の死骸を容易に排出することができるので、室内の蚊を除去する換気装置において、ファンや換気装置内部の掃除の煩わしさを低減した換気装置を提供することができる。
【図面の簡単な説明】
【０００８】
【図１】本発明の前提例１、実施の形態１、２、３の換気装置を示す側面断面図
【図２】同換気装置を示す斜視図
【図３】本発明の前提例１の換気装置においてガスボンベを備えた例を示す図
【図４】本発明の実施の形態１の換気装置の回収箱スライド機構を示す側面断面図
【図５】本発明の実施の形態２の換気装置を示す側面断面図
【図６】本発明の実施の形態２の換気装置の回収箱スライド機構を示す側面断面図
【図７】従来の蚊排出換気装置を示す側面断面図
【発明を実施するための形態】
【０００９】
本発明の請求項１に係る換気装置は、室内側に設けられる吸込口と、室外側に設けられる吐出口と、前記吸込口から吐出口へ連通する風路と、前記風路内で室内側から室外側へ向かう気流を発生させるファンおよびモーターと、前記吸込口を覆い配置され、その繊維に殺虫成分を含有または担持させたネットとを備え、前記ファンと前記ネットのいずれかを黒色とした換気装置であって、本体下部に設置した蚊の回収箱を備え、前記回収箱は室内外方向にスライドする機構を有するとともに、室外側に突出した際は回収箱の一部が開口する機構を有することを特徴とする。
【００１０】
これにより、換気装置において排気流が通過する開口部が黒色で形成されるため、黒い物体に止まる性質を持つ蚊などの飛翔昆虫を換気装置まで誘引し、止まろうと接近した蚊をファンで発生させた排気流と共に吸引することで、吸込口前面のネットで捕集することができる。ファンの前面で蚊を捕獲できるため、蚊がファンに衝突することがなく、蚊とファンの衝突によって発生した死骸による、ファンや換気装置内部の汚染を防止することができる。また、ネット上に捕獲した蚊は、殺虫成分を避けるために再度飛翔しようとするが、殺虫成分により衰弱してしまい、ファンによって形成される排気流に逆らって逃げることができない。やがて、重力によって落下し、回収箱へと集められる。また、回収箱は室内外方向にスライドする機構を有し、室外側に突出した際に回収箱の一部が開口する機構を有しているので、回収箱を室内側から室外側へスライドさせることで、回収された蚊の死骸を室外へ排出することができる。
【００１１】
つまり、光源による誘引作用では十分に誘引することのできない蚊を誘引・捕集するとともに、室内の蚊を除去する換気装置において、ファンや換気装置内部の掃除の煩わしさを低減した換気装置を提供することができる。
【００１２】
また、請求項２に係る換気装置は、前記ネットよりも上流側から該ネットの中央部を覆う格子を有したルーバーを備え、前記ルーバーの外周部は淡色であり、前記外周部の色は格子の色に対してマンセル表色系で規定される明度が６以上大きいことを特徴とする。
【００１３】
このように、外周部の色は格子の色に対してマンセル表色系で規定される明度が６以上大きくして、ルーバーの外周部と格子の明度差をつけることで、換気装置周辺を飛行する蚊がルーバーの外周部に止まってしまい捕集することができないという状況を防止し、より確実にルーバーの開口部まで誘導することができる。
【００１４】
また、請求項３に係る換気装置は、ネットに含まれる殺虫成分がピレスロイド系殺虫成分であることを特徴とする。
【００１５】
ピレスロイド系殺虫成分は速効性の殺虫成分であるため、蚊が短時間でもネットに止まることで蚊を死亡またはノックダウンさせることが可能であり、換気装置の運転を停止した際でも蚊がネット上や回収箱内から再度室内側へと飛翔することを防ぐことができる。また、ピレスロイド系の殺虫成分は哺乳類や鳥類への毒性が極めて低く、ヒトやペットなどが接触しても影響が小さいため、ネットの掃除や交換といったメンテナンス作業を安全に行うことができる。
【００１６】
以下、本発明の実施の形態について図面を参照しながら説明する。
【００１７】
（前提例１）
まず、実施の形態の説明に入る前に、前提となる構成について説明する。
【００１８】
図１、図２および図３は、本実施の形態に係る換気装置の図である。図１は換気装置を示す側面断面図、図２は換気装置を示す斜視図である。また図４は回収箱のスライド機構を示す側面断面図である。
【００１９】
換気装置１は、図１に示すように部屋の壁面を貫通して取り付けられている。
【００２０】
換気装置１は、本体２と、本体２に備えた吸込口３と、吐出口４と、吸込口３から吐出口４へ連通する風路５と、モーター６とモーター６の軸に取り付けられたファン７と、本体２の前面に備えたパネル８と、ネット９と、回収箱１０から構成されている。
【００２１】
つまり、換気装置１は、大きく分けると本体２と、パネル８と回収箱１０から構成されている。
【００２２】
吸込口３は部屋の室内側に、吐出口４は室外側に配置されている。
【００２３】
モーター６とモーター６の軸に取り付けられたファン７は、運転時に室内側から室外側へと向かう空気流を形成するものである。ファンは全体が黒色の樹脂または金属からなる。
【００２４】
パネル８は、換気装置１の前面において、本体２の室内側を覆うようにして設置されている。パネル８は、本体２の前面側で吸込口３を形成している。パネル８の室内側から見える前面は黒色となっている。
【００２５】
ネット９は樹脂や金属からなる枠体１１に保持されており、取り外し可能な形で換気装置１のパネル８などに固定されている。ネット９は黒色の樹脂の繊維から形成されており、樹脂繊維の素材としてはポリエチレン、ポリプロピレン、ポリエステル等を用いることができる。ネット９を形成する繊維はその内部又は表面にピレスロイド系殺虫剤成分を担持または含有していることを特徴としている。繊維表面にピレスロイド系殺虫成分を担持させる方法としては、例えば繊維を殺虫成分の溶液中に浸漬する、殺虫成分の溶液を刷毛などを用いて塗布する、殺虫成分の溶液をスプレーで吹き付けるといった方法を用いることができる。樹脂繊維中に薬剤を含有させる方法としては、殺虫成分を含む芯材の周りに樹脂成分を被覆する方法、殺虫成分を原料樹脂と混合し繊維状に紡糸するといった方法を用いることができる。ネット９に担持又は含有されるピレスロイド系殺虫成分として、ペルメトリン、フェノトリン、エトフェンプロックス、アレスリン等を用いることができる。ピレスロイド系殺虫成分としては、残効性の高い薬剤を使用することが望ましい。残効性の高い薬剤を使用することで、ネット９に付与された殺虫効果が長期間持続するため、メンテナンスの頻度を削減することができるという利点がある。
【００２６】
また、図２に示すように、ルーバー１２は、換気装置１の前面の外側を覆う外周部１３と、外周部１３に保持され、開口部を遮るように設置された格子１４と、換気装置本体に取り付けるための取付部１５から構成されている。ルーバー１２は取付部１５が、本体パネルに備えられた取付受け部１６に接続されることで固定される。格子１４も黒色となっている。
【００２７】
ファン７、パネル８の前面、格子１４の黒色は例えばマンセル表色系規定される明度が１〜３の色とする。
【００２８】
また、図１に示すように、回収箱１０は上側を開口した箱状の部品であり、換気装置１の本体２下部に位置し、ネット９前面から鉛直下方向に落下した物体を受け止めることのできる位置に設置されている。
【００２９】
パネル８の下部にはネット９の前面側と回収箱１０内とを連通させる開口として連通孔２５が設けられている。
【００３０】
上記構成により、換気装置１のファン７、パネル８前面、ネット９が黒色で構成されていることから、換気装置１の排気流が通過する開口部全体が黒色となり、黒い物体をめがけて飛行する蚊を排気流の流れる開口部まで誘導することができる。
【００３１】
また、ネット９上に捕獲した蚊は殺虫成分を嫌がり飛翔しようとするが、殺虫成分により衰弱している上に排気流の影響を受けるため、ネット９から飛び立つことができず、連通孔２５から回収箱１０内に落下する。
【００３２】
なお、蚊を誘引する構成として、ファン７、パネル８の前面、格子１４の色を黒色としたが、二酸化炭素を代表とするガス状物質を発生させて蚊を誘引するようにしても良い。例えば、乳酸、アンモニア、オクテノール等の、蚊を誘引するのに一定の効果があるとされている成分を加えてもよい。また、ガス状物質として二酸化炭素を含む場合、例えばＵＶランプ、光触媒、分解用の有機物を備え、ＵＶ光を光触媒に照射することにより、前記有機物を分解し、二酸化炭素を発生させる構成としてもよい。ガス状物質を発生させる例として図３のように配管１８が接続されたガスボンベ２０とを備えることもできる。配管１８によって室外に備えたガスボンベ２０に封入されている二酸化炭素を室内へ導くことができる。配管１８には電磁弁１９を備え、適宜開閉を行うことで室内への換気装置１の下部へ二酸化炭素ガスを導くことができる。
【００３３】
（実施の形態１）
図１および図４を用いて、回収箱１０のスライド機構を説明する。
【００３４】
回収箱１０は天面である回収箱天面３０を開口し、底面である回収箱底部３１に開閉可能な開口部２１と該開口部２１を開閉する開閉板２２を備えた箱体である。図中の矢印は回収箱１０および開閉板２２の動きを表現している。
【００３５】
開閉板２２は、回収箱底面３１と丁番３２によって開閉自在に接続されている。丁番３２の回転軸は回収箱１０のスライド方向に対して垂直にしている。開閉板２２は、回収箱１０の奥側（換気装置１の吐出口４側）を開閉させるものである。
【００３６】
そして、図１の状態（換気扇の使用時の状態）において、ネット８から落下してきた蚊の死骸を開閉板２２が受けることができる位置に丁番３２は配置している。すなわち、図１に示すように、回収箱１０を換気装置１のパネル８側に引き寄せて配置した状態で、丁番３２は連通孔２５よりもパネル８の前面側に位置している。
【００３７】
上記構成により、図１において連通孔２５、回収箱天面３０を通過して回収箱１０へ落下したときに、蚊またはその死骸は、開閉板２２上に堆積することとなる。そして、回収箱１０は室内側から室外側にスライドさせると、回収箱１０を室外側に突出させることができる。丁番３２を室外側に来る位置まで移動させると、開閉板２２が自重によって開口部２１を開口させて、回収箱１０内に回収した蚊の死骸を室外に排出することができる。
【００３８】
これにより、ファンや換気装置内部への蚊の死骸の付着を防ぎファンや換気装置内部の掃除の煩わしさを低減することができる。
【００３９】
（実施の形態２）
図５および図６は、本実施の形態における換気扇の図である。図５は、換気装置を示す側面断面図、図６は、換気装置の回収箱スライド機構を示す側面断面図である。図５、図６において、実施の形態１と同一の部分は同一符号を付し、その詳細な説明は省略する。
【００４０】
図５に示すように、回収箱１０の天面３０は、パネル８側が開口していて、本体２側は、天板３３によって塞がれている。さらに、本体２の底面すなわち本体底面３４に回収箱１０と連通するスリット３５を備える。換気扇装置１運転時（図５）、スリット３５は回収箱１０の天板３３によって閉塞されている。
【００４１】
次に、図６を用いて回収箱１０のスライド機構を説明する。
【００４２】
回収箱１０は、開口部２１とこれを開閉する開閉板２２を備える。図中の矢印は回収箱１０および開閉板２２の動きを表現している。実施の形態１と同様に、回収箱１０は室内側から室外側にスライドさせることができる。回収箱１０が室外側に突出した際は開口部２１が開口し、回収箱１０に回収した蚊の死骸を室外に排出することができる。このとき回収箱１０のスライドにともなってスリット３５が開口し、風路５と回収箱１０と開口部２１とが連通した風路が形成される。ファン７を回転させるとファン７の遠心方向に圧力が生じるため、図中破線矢印のように風流れが生じる。これによって回収箱１０に回収した蚊の死骸を室外に排出することができる。すなわち、回収箱１０内にスリット３５が入る位置で回収箱１０室外側へスライドさせたときに丁番３２が室外側へ移動するようにすることで、回収箱１０を室外側へスライドさせて、スリット３５から流した風が開口部２１から流れるようにすることができる。
【００４３】
これにより、回収箱１０をスライドさせる距離を短くすることができる。そして、ファンや換気装置内部への蚊の死骸の付着を防ぎファンや換気装置内部の掃除の煩わしさを低減することができる。
【００４４】
（実施の形態３）
図１、図２において、換気装置１のルーバー１２の外周部１３は淡色からなり、格子１４は黒色からなる。外周部１３の色は格子１４の色に対してマンセル表色系で規定される明度が６以上大きいとしている。
【００４５】
上記構成により、換気装置１を前面から見た際に本体２において、ルーバー１２の外周の淡色に対して、格子１４を濃色として明度差をつけることで、室内に濃色の物体が多い場合でも本体２蚊にとって視認性の高い配色となり、本体２付近まで誘引することができる。また、換気装置１付近を飛行する蚊は淡色のルーバー１２外周部１３よりも黒色で構成された格子１４および換気装置１内部に止まろうとするため、開口部に近付いたところを排気流に吸引され、ネット９上で捕集することが可能である。
【産業上の利用可能性】
【００４６】
室内空気を屋外へ排出するとともに、室内の蚊を吸引・排出できる換気装置として有用である。
【符号の説明】
【００４７】
１    換気装置
２    本体
３    吸込口
４    吐出口
５    風路
６    モーター
７    ファン
８    パネル
９    ネット
１０    回収箱
１１    枠体
１２    ルーバー
１３    外周部
１４    格子
１５    取付部
１６    取付受け部
１７    ガス状物質発生部
１８    配管
１９    電磁弁
２０    ガスボンベ
２１    開口部
２２    開閉板
２５    連通孔
３０    回収箱天面
３１    回収箱底面
３２    丁番
３３    本体底面
３４    本体底面
３５    スリット
【図１】
2020048486.tif 000003
【図２】
2020048486.tif 000004
【図３】
2020048486.tif 000005
【図４】
2020048486.tif 000006
【図５】
2020048486.tif 000007
【図６】
2020048486.tif 000008
【図７】
2020048486.tif 000009